(57)【要約】【課題】積木式情報家電システム構造の提供。【解決手段】マイクロセッサをメイン制御装置とするホストマシンと、複数の独立運転する機能装置を具え、該機能装置が変換回路を具え、信号を変換して共用の標準規格とし、共用のインタフェース装置を経由してホストマシン及びその他の機能装置に伝送する。これら機能装置はカラオケ装置、テレビジョン、音響装置、光ディスクプレイヤー、電話機とされる。ホストマシンは必要なオペレーションソフトを実行し、各機能装置を制御する。これらのソフトは各機能装置の存在の有無或いは起動により使用者に操作上の選択を提供する。各機能装置がそれぞれ変換回路を具えるため、信号を標準規格で伝送し、これにより任意の機能装置の増減が全体のシステムの運転に影響を与えず、各機能装置がホストマシンを透過せずセルフ運転できる。【選択図】        図１
2004215057.tif 000002
【特許請求の範囲】
【請求項１】
積木式情報家電システム構造において、
マイクロプロセッサと該マイクロプロセッサに連接されてその制御を受ける変換回路とを具えた、ホストマシンと、
特定の機能を具えると共に変換回路を具えた少なくとも一つの機能装置と、
該機能装置の変換回路を該ホストマシンの変換回路に連接させ、選択的に機能装置をホストマシンに結合させ、並びにそれにホストマシンのマイクロプロセッサの制御及び操作を受けさせる、共用のインタフェース装置と、
を具えたことを特徴とする、積木式情報家電システム構造。
【請求項２】
請求項１に記載の積木式情報家電システム構造において、共用のインタフェース装置がＵＳＢ規格とされたことを特徴とする、積木式情報家電システム構造。
【請求項３】
請求項１に記載の積木式情報家電システム構造において、共用のインタフェース装置がＩＥＥＥ１３９４規格とされたことを特徴とする、積木式情報家電システム構造。
【請求項４】
請求項１に記載の積木式情報家電システム構造において、ホストマシンが、使用者が機能装置を操作するのに供されるオペレーションソフトを具えたことを特徴とする、積木式情報家電システム構造。
【請求項５】
請求項４に記載の積木式情報家電システム構造において、ホストマシンがオペレーションソフトが機能装置の状態を使用者に表示するための出力装置を具えたことを特徴とする、積木式情報家電システム構造。
【請求項６】
請求項５に記載の積木式情報家電システム構造において、ホストマシンが、使用者がマイクロプロセッサとソフトウエアを透過して機能装置を制御するための入力装置を具えたことを特徴とする、積木式情報家電システム構造。
【請求項７】
請求項１に記載の積木式情報家電システム構造において、二つ以上の機能装置を具え、これら機能装置の間が共用のインタフェース装置により連結されたことを特徴とする、積木式情報家電システム構造。
【請求項８】
請求項７に記載の積木式情報家電システム構造において、機能装置内の変換回路が相互に信号を伝送し、ホストマシンが未起動の状態でセルフ運転することを特徴とする、積木式情報家電システム構造。
【請求項９】
請求項４に記載の積木式情報家電システム構造において、ホストマシンがオペレーションソフトを格納する記憶装置を具えたことを特徴とする、積木式情報家電システム構造。
【請求項１０】
請求項１に記載の積木式情報家電システム構造において、ホストマシンがインターネットに接続されたことを特徴とする、積木式情報家電システム構造。
【発明の詳細な説明】
【０００１】
【発明の属する技術分野】
本発明は情報家電に係り、特に、一種の、積木式情報家電システム構造に関する。
【０００２】
【従来の技術】
文明の発展に伴い、社会は農業形態から工業形態へと変わり、今日の情報を中心とする社会形態へと変化している。２１世紀に入ってから、インターネット及び無線通信等の方面の技術の進歩により、人類は情報に対する依存度はますます深くなり、標準も高くなっており、今日人類は時間と距離の制限なく情報が取得できることを求め、ネットワークによる情報の伝送が行われるようになった。ゆえに、「ネットワーク接続」は現代人の不可欠の日常生活方式となっている。
【０００３】
伝統的に、コンピュータはネットワークとの接続に最適な装置であるが、一般の人にとって、コンピュータは複雑な機器であり、使用に不便である。このため、「情報家電」が徐々に勃興し、それは、より簡単に且つ便利にネットワークと接続できるネットワーク接続装置の要求に対応し、情報菜用の多元化と情報キャプチャの便利性を増進している。現在、「情報家電」のような新興の製品には明確な定義或いは範囲はなく、このためこのような製品は不断に変化し、続々と新製品が提供され、且つその応用範囲を拡大し続けている。最も広義の定義を述べるならば、それは、人類の快速敏捷な情報要求を満足させるものとされ、任意の電子製品或いは電子装置も情報家電として認定されうる。
【０００４】
一方で、情報の整理と分析上、コンピュータの強大な演算能力は人々の作業及び学習を更に便利としている。ネットワーク技術の快速な発展に伴い、文字、音声、ビデオ信号と映像等の情報の整合は不断に増強され、伝統的にそれぞれ発展してきたコンピュータ、消費性電子製品と通信等のいわゆる３Ｃ産業を強制的に整合させつつあり、すなわちコンピュータの強大な演算能力を利用し、並びに通信能力を整合させ、情報を消費性電子製品が現出できるようにしている。簡単に述べると、情報家電は即ち３Ｃ製品の整合、或いは僅かにそのうちの２Ｃの整合である。
【０００５】
情報家電の形態がどのようであっても、明らかなことは、コンピュータの強大な演算能力を運用し、さらにネットワークの情報伝送と取得の便利性を加えることにより、人類の情報に対する要求を満足させることである。これにより現在既知の情報家電は、いずれもコンピュータ形態のホストマシンを具えている。ここで言うコンピュータは、広義にＣＰＵを中心とするデータ処理装置或いはマイクロプロセッサを中心とする制御装置を指し、並びにこのコンピュータに各種の異なる機能の装置、例えばカラオケ装置、テレビジョン（例えば高解析度の無線テレビジョン或いはケーブルテレビ）、周波数調整或いは周波数幅調整受信装置及び音響装置と増幅器、光ディスク再生装置等、さらには通信装置、例えばファクシミリ及び電話機等が結合されている。各種の娯楽及び通信等の周辺装置とコンピュータは直接結合され、消費者がコンピュータにより各種の娯楽及び通信用周辺装置を制御できる。
【０００６】
このような結合は大量生産の標準製品に相当に有利であり、すなわち、必要な機能が一つに整合されて使用者が自分でそのうち一つ或いは複数の機能を選択することができる。しかし一方で、このような配置方式は不必要なコストを増す。言い換えると、標準製品中、ある機能を消費者が不必要であっても、購入せざるを得ない。このためコストを下げて市場での競争力を高めるのに相当に不利である。もしメーカーが少数の消費者に対してオーダーによる製品開発を行うとすれば、生産量が少なくコストが高くなる問題がある。
【０００７】
【発明が解決しようとする課題】
本発明の目的は、一種の積木式情報家電システム構造を提供することにあり、それは、メーカー或いは組立業者が選択的に異なる周辺装置を制御用の中央のホストマシンに連接し、異なる消費者の個別の要求を満足させられる構造であるものとする。
【０００８】
本発明のもう一つの目的は、少量の製造を低い製造コストで行える情報家電システム構造を提供することにある。
【０００９】
【課題を解決するための手段】
請求項１の発明は、積木式情報家電システム構造において、
マイクロプロセッサと該マイクロプロセッサに連接されてその制御を受ける変換回路とを具えた、ホストマシンと、
特定の機能を具えると共に変換回路を具えた少なくとも一つの機能装置と、
該機能装置の変換回路を該ホストマシンの変換回路に連接させ、選択的に機能装置をホストマシンに結合させ、並びにそれにホストマシンのマイクロプロセッサの制御及び操作を受けさせる、共用のインタフェース装置と、
を具えたことを特徴とする、積木式情報家電システム構造としている。
請求項２の発明は、請求項１に記載の積木式情報家電システム構造において、共用のインタフェース装置がＵＳＢ規格とされたことを特徴とする、積木式情報家電システム構造としている。
請求項３の発明は、請求項１に記載の積木式情報家電システム構造において、共用のインタフェース装置がＩＥＥＥ１３９４規格とされたことを特徴とする、積木式情報家電システム構造としている。
請求項４の発明は、請求項１に記載の積木式情報家電システム構造において、ホストマシンが、使用者が機能装置を操作するのに供されるオペレーションソフトを具えたことを特徴とする、積木式情報家電システム構造としている。
請求項５の発明は、請求項４に記載の積木式情報家電システム構造において、ホストマシンがオペレーションソフトが機能装置の状態を使用者に表示するための出力装置を具えたことを特徴とする、積木式情報家電システム構造としている。
請求項６の発明は、請求項５に記載の積木式情報家電システム構造において、ホストマシンが、使用者がマイクロプロセッサとソフトウエアを透過して機能装置を制御するための入力装置を具えたことを特徴とする、積木式情報家電システム構造としている。
請求項７の発明は、請求項１に記載の積木式情報家電システム構造において、二つ以上の機能装置を具え、これら機能装置の間が共用のインタフェース装置により連結されたことを特徴とする、積木式情報家電システム構造としている。
請求項８の発明は、請求項７に記載の積木式情報家電システム構造において、機能装置内の変換回路が相互に信号を伝送し、ホストマシンが未起動の状態でセルフ運転することを特徴とする、積木式情報家電システム構造としている。
請求項９の発明は、請求項４に記載の積木式情報家電システム構造において、ホストマシンがオペレーションソフトを格納する記憶装置を具えたことを特徴とする、積木式情報家電システム構造としている。
請求項１０の発明は、請求項１に記載の積木式情報家電システム構造において、ホストマシンがインターネットに接続されたことを特徴とする、積木式情報家電システム構造としている。
【００１０】
【発明の実施の形態】
本発明は一種の積木式情報家電システム構造を提供し、それは、マイクロセッサをメイン制御装置とするホストマシンと、複数の独立運転する機能装置を具え、該機能装置が変換回路（例えばデコーダエンコーダ及びインタフェース回路）を具え、信号を変換して共用の標準規格とし、共用のインタフェース装置を経由してホストマシン及びその他の機能装置に伝送する。これら機能装置はカラオケ装置、テレビジョン、音響装置（周波数幅調整受信機及び増幅機を含む）、光ディスクプレイヤー、電話機とされる。ホストマシンは必要なオペレーションソフトを実行し、各機能装置を制御する。これらのソフトは各機能装置の存在の有無或いは起動により使用者に操作上の選択を提供する。各機能装置がそれぞれ変換回路を具えるため、信号を標準規格で伝送し、これにより任意の機能装置の増減が全体のシステムの運転に影響を与えない。
【００１１】
本発明を別の観点から見ると、該ホストマシンには複数の連接ポートが設けられ、それはＵＳＢ１．１或いはＵＳＢ２．０或いはＩＥＥＥ１３９４或いはブルートゥース規格の通信協定及び関係するコネクタとされて、各機能装置を選択的にホストマシンに連接するのに供される。これは消費者が自分で機能装置の数量を増減するのに役立つ。
【００１２】
【実施例】
以下に図面を参照し、本発明に対して更に説明を行う。図１に示されるように、本発明のシステムは、ホストマシン１００を具え、それはマイクロプロセッサ１０２をメイン制御回路として具えると共に、該マイクロプロセッサ１０２に連接されてその制御を受け、信号を受信或いは伝送する変換回路１０４を具えている。このホストマシン１００はパソコンの構造を具えるように設置され得て、データ、モデム及びアプリケーションソフト及びオペレーションシステムを保存するための記憶装置１０６を具えている。このホストマシン１００には各種信号及び情報を使用者に提供する出力装置１０８、例えばディスプレイと、使用者が命令を入力するための入力装置１１０、例えばカーソルコントローラが設けられる。
【００１３】
ホストマシン１００は適当な連接装置によりインターネット（図示せず）に連接され、この技術は一般のネットワーク業者の周知の技術であり、且つ本発明の特徴ではないため、ここでは詳しい説明を省略する。
【００１４】
本発明のシステムはさらに複数の機能装置２００、３００、４００を具え、それは、カラオケ装置、テレビジョン、音響装置（周波数調整周波数幅調整受信機及び増幅器を具えている）、光ディスクプレイヤー、電話機等或いはその他のビデオ信号、音声信号及びデータ処理装置を具えている。本発明によると、各一つの機能装置２００、３００、４００無いにそれぞれ一つの変換回路２０４、３０４、４０４が設けられて、該変換回路２０４、３０４、４０４は信号の受信と伝送を行い、並びに伝送する信号を標準フォーマットに変換し、その他の機能装置及びホストマシンに伝送し、並びに受信した信号をその関係する機能装置２００、３００、４００の必要に適合するように変換する。
【００１５】
これらの機能装置２００、３００、４００は共用のインタフェース装置５００を透過してホストマシン１００の変換回路１０４に連接され、これにより各機能装置２００、３００、４００とホストマシン１００の間が相互に信号を伝送でき、且つ各機能装置２００、３００、４００相互間もまた信号を伝送できる。この共用のインタフェース装置５００は周知の任意のものとされ、例えば、ＵＳＢ１．１、ＵＳＢ２．０、ＩＥＥＥ１３９４或いは無線通信協定、例えばブルートゥース規格とされる。
【００１６】
操作上、ホストマシン１００内のソフトウエアの機能により、各機能装置２００、３００、４００の状態は出力装置１０８に表示され、並びに使用者に選択のアイコンを提供し、各関係の機能装置２００、３００、４００を制御する。これらの状態はシステム内に現在ある機能装置（即ちどの機能装置がこのシステム内にあるか）、及び、これらの機能装置が起動されて操作できるかを含む。言い換えると、ホストマシン１００内のソフトウエアが全ての機能装置２００、３００、４００を出力装置１０８に表示し、さらに各機能装置の各種の状態、例えばオンとオフを表示する。使用者は入力装置１１０の補助によりホストマシン１００を透過してこれらの機能装置２００、３００、４００を制御することができる。このような構造の設置により、自由に機能装置を増減することができ、さらに必要に応じて余分の機能装置をホストマシン１００に連接することができ、或いはホストマシン１００より不必要な機能装置を取り外すことができる。
【００１７】
一方で、各機能装置２００、３００、４００内にそれぞれ変換回路２０４、３０４、４０４が設けられ、且つ共用のインタフェース装置５００を経由して相互に連接され信号を伝送でき、これによりこれらの機能装置がホストマシン１００を経由しない状況で運転でき、例えば機能装置中に光ディスクプレイヤー及び増幅器がある時、ホストマシン１００を未起動の状態で、この光ディスクプレイヤーが増幅器を経由してその音声信号を出力できる。これにより更に便利な使用操作を提供できる。また、もし必要であれば、各機能装置２００、３００、４００の変換回路２０４、３０４、４０４内にマイクロプロセッサを設置してその機能を高めることができ、これにより各機能装置間の相互連結と通信に有利とすることができる。
【００１８】
以上は本発明の好ましい実施例の説明であって、本発明の実施範囲を限定するものではなく、本発明に基づきなしうる細部の修飾或いは改変は、いずれも本発明の請求範囲に属するものとする。
【００１９】
【発明の効果】
本発明は、一種の積木式情報家電システム構造を提供し、それは、メーカー或いは組立業者が選択的に異なる周辺装置を制御用の中央のホストマシンに連接し、異なる消費者の個別の要求を満足させられる構造である。
【００２０】
本発明はまた、少量の製造を低い製造コストで行える情報家電システム構造を提供している。
【図面の簡単な説明】
【図１】本発明の情報家電システムのブロック図である。
【符号の説明】
１００  ホストマシン
１０２  マイクロプロセッサ
１０４  変換回路
１０６  記憶装置
１０８  出力装置
１１０  入力装置
１１２  連結ポート
２００、３００、４００  機能装置
２０４、３０４、４０４  変換回路
５００  共用のインタフェース装置
【図１】
2004215057.tif 000003